(57)【要約】【課題】外部からの炎に対する電装品ユニットの防炎効果を高めることができる空気調和機の室外機を提供する。【解決手段】空気調和機の室外機１は、熱交換器２と、送風機４と、室外機ケーシング７と、電装品ユニット５と、防炎部材６とを備える。送風機４は、外部から空気を取り込み熱交換器２に通す。室外機ケーシング７は、熱交換器２と送風機４とが配置され外部から取り込まれた空気が通る送風機室ＳＰ２と、送風機室ＳＰ２から仕切られた機械室ＳＰ１とを内部に有する。電装品ユニット５は、電気部品と、電気部品を収容する樹脂製の電装品ユニットケーシング５３と、送風機室ＳＰ２内に露出し電気部品の熱を逃がすヒートシンク５２とを有する。そして、防炎部材６は、送風機室ＳＰ２内においてヒートシンク５２を覆い、ヒートシンク５２が配置され送風機室ＳＰ２を通る空気の一部が流れる空気通路Ｐａを構成する。【選択図】図１
2008101824.tif 000002
【特許請求の範囲】
【請求項１】
熱交換器（２）と、
外部から空気を取り込み熱交換器（２）に通す送風機（４）と、
前記熱交換器（２）と前記送風機（４）とが配置され外部から取り込まれた空気が通る送風機室（ＳＰ２）と、前記送風機室（ＳＰ２）から仕切られた機械室（ＳＰ１）とを内部に有する室外機ケーシング（７）と、
電気部品（５１）と、前記電気部品（５１）を収容する樹脂製の電装品ユニットケーシング（５３）と、前記送風機室（ＳＰ２）内に露出し前記電気部品（５１）の熱を逃がすヒートシンク（５２）とを有する電装品ユニット（５）と、
前記送風機室（ＳＰ２）内において前記ヒートシンク（５２）を覆い、前記ヒートシンク（５２）が配置され前記送風機室（ＳＰ２）を通る空気の一部が流れる空気通路（Ｐａ）を構成する防炎部材（６）と、
を備える空気調和機の室外機（１）。
【請求項２】
前記防炎部材（６）によって構成される前記空気通路（Ｐａ）の入口は、冷房運転時における前記熱交換器（２）の冷媒の入口側よりも冷媒の出口側に近い位置に配置される、
請求項１に記載の空気調和機の室外機（１）。
【請求項３】
前記防炎部材（６）によって構成される前記空気通路（Ｐａ）の入口（Ｐｉｎ）は、前記空気通路（Ｐａ）の出口（Ｐｏｕｔ）よりも大きい、
請求項１または２のいずれかに記載の空気調和機の室外機（１）。
【請求項４】
前記防炎部材（６）は、前記送風機室（ＳＰ２）と前記機械室（ＳＰ１）とを仕切る仕切板（７６）に沿った形状を有する、
請求項１から３のいずれかに記載の空気調和機の室外機（１）。
【請求項５】
前記防炎部材（６）は、前記ヒートシンク（５２）の下方を覆う、
請求項１から４のいずれかに記載の空気調和機の室外機（１）。
【請求項６】
前記電装品ユニット（５）は、前記電装品ユニットケーシング（５３）の外表面に取り付けられる板金製の防炎板（５４）をさらに有し、
前記防炎板（５４）は、前記ヒートシンク（５２）に接触しないように設けられており、
前記防炎部材（６）は前記ヒートシンク（５２）と前記防炎板（５４）との境界を覆う、
請求項５に記載の空気調和機の室外機（１）。
【請求項７】
前記送風機（４）は、樹脂製のファン（４１）を有しており、
前記ヒートシンク（５２）は、前記ファン（４１）の上方に位置しており、
前記防炎部材（６）は、前記ヒートシンク（５２）と前記ファン（４１）との間を仕切っている、
請求項５または６のいずれかに記載の空気調和機の室外機（１）。
【発明の詳細な説明】
【技術分野】
【０００１】
本発明は空気調和機の室外機に関する。
【背景技術】
【０００２】
通常、空気調和機の室外機には、空気調和機の制御を行うための電装品ユニットが収納されている。この電装品ユニットには、発熱を伴う電気部品が含まれているため、電気部品から熱を逃がすヒートシンクが設けられている。ここで、空気調和機の室外機の内部は、熱交換器や送風機が配置され外気が取り込まれる送風機室と、雨風が侵入し難くされた機械室とに仕切られており、放熱効果を高めるために、ヒートシンクは、送風機室に露出するように配置される。
【特許文献１】特開２００３−２９４２７３号公報（図５）
【発明の開示】
【発明が解決しようとする課題】
【０００３】
近年、空気調和機の室外機では防炎対応が強く望まれており、室外機内部から発火するのではなく火災時に他所から燃え移ってきた場合などのように、外部から侵入してきた炎から電装品ユニットを保護することが求められている。この場合、上記のような空気調和機の室外機では、ヒートシンクは、送風機室に露出しているため、外部から侵入してきた炎に直接さらされる可能性が高く、ヒートシンクを介して電装品ユニットがダメージを受ける恐れがある。
【０００４】
本発明の課題は、外部からの炎に対する電装品ユニットの防炎効果を高めることができる空気調和機の室外機を提供することにある。
【課題を解決するための手段】
【０００５】
第１発明に係る空気調和機の室外機は、熱交換器と、送風機と、室外機ケーシングと、電装品ユニットと、防炎部材とを備える。送風機は、外部から空気を取り込み熱交換器に通す。室外機ケーシングは、熱交換器と送風機とが配置され外部から取り込まれた空気が通る送風機室と、送風機室から仕切られた機械室とを内部に有する。電装品ユニットは、電気部品と、電気部品を収容する樹脂製の電装品ユニットケーシングと、送風機室内に露出し電気部品の熱を逃がすヒートシンクとを有する。そして、防炎部材は、送風機室内においてヒートシンクを覆い、ヒートシンクが配置され送風機室を通る空気の一部が流れる空気通路を構成する。
【０００６】
この空気調和機の室外機では、防炎部材が送風機室内においてヒートシンクを覆うため、外部の炎からヒートシンクを保護することができる。これにより、外部からの炎に対する電装品ユニットの防炎効果を高めることができる。また、防炎部材は、送風機室を通る空気の一部が流れる空気通路を構成し、この空気通路中にヒートシンクが配置される。このため、防炎部材は、ヒートシンクを保護しながら、ヒートシンクに風がよく当たるようにして、ヒートシンクにおける放熱効果の低下を抑えることができる。
【０００７】
第２発明に係る空気調和機の室外機は、第１発明の空気調和機の室外機であって、防炎部材によって構成される空気通路の入口は、冷房運転時における熱交換器の冷媒の入口側よりも冷媒の出口側に近い位置に配置される。
【０００８】
この空気調和機の室外機では、防炎部材によって構成される空気通路の入口が冷房運転時における熱交換器の冷媒の出口側に近い位置に配置されるため、冷房運転時において比較的温度の低い空気が空気通路を通ることになる。このため、ヒートシンクにおける放熱効果を向上させることができる。
【０００９】
第３発明に係る空気調和機の室外機は、第１発明または第２発明の空気調和機の室外機であって、防炎部材によって構成される空気通路の入口は、空気通路の出口よりも大きい。
【００１０】
この空気調和機の室外機では、防炎部材によって構成される空気通路の入口が空気通路の出口よりも大きいため、より多くの空気を空気通路に取り込み、空気通路を通る空気の風速を増大させることができる。これにより、ヒートシンクにおける放熱効果をより向上させることができる。
【００１１】
第４発明に係る空気調和機の室外機は、第１発明から第３発明のいずれかの空気調和機の室外機であって、防炎部材は、送風機室と機械室とを仕切る仕切板に沿った形状を有する。
【００１２】
この空気調和機の室外機では、防炎部材が仕切板に沿った形状を有するため、仕切板に沿って流れる空気が空気通路に取り込まれ易くなる。このため、空気通路により多くの空気を取り込むことができ、ヒートシンクにおける放熱効果をより向上させることができる。
【００１３】
第５発明に係る空気調和機の室外機は、第１発明から第４発明のいずれかの空気調和機の室外機であって、防炎部材は、ヒートシンクの下方を覆う。
【００１４】
この空気調和機の室外機では、防炎部材がヒートシンクの下方を覆うため、下方から燃え上がる炎に対してより効果的にヒートシンクを保護することができる。また、樹脂製の電装品ユニットケーシングが熱で溶けたとしても、ヒートシンクが下方に脱落してしまうことを防止することができる。
【００１５】
第６発明に係る空気調和機の室外機は、第５発明の空気調和機の室外機であって、電装品ユニットは、電装品ユニットケーシングの外表面に取り付けられる板金製の防炎板をさらに有する。この防炎板は、ヒートシンクに接触しないように設けられており、防炎部材は、ヒートシンクと防炎板との境界を覆う。
【００１６】
この空気調和機の室外機では、板金製の防炎板が電装品ユニットケーシングの外表面に取り付けられるため、電装品ユニットの防炎効果を向上させることができる。また、防炎板がヒートシンクに接触しないように設けられるため、ヒートシンクを介して電気部品へ電気的な影響を与えることを防止することができる。この場合、防炎板とヒートシンクとの間に隙間ができるが、防炎部材がヒートシンクと防炎板との境界を覆うため、防炎板とヒートシンクとの隙間から炎が侵入することを抑えることができる。
【００１７】
第７発明に係る空気調和機の室外機は、第５発明または第６発明の空気調和機の室外機であって、送風機は樹脂製のファンを有しており、ヒートシンクはファンの上方に位置している。そして、防炎部材は、ヒートシンクとファンとの間を仕切っている。
【００１８】
この空気調和機の室外機では、万一、樹脂製のファンが燃えたとしてもヒートシンクとファンとの間を仕切る防炎部材によってヒートシンクを保護することができる。これにより、電装品ユニットの防炎効果を高めることができる。
【発明の効果】
【００１９】
第１発明に係る空気調和機の室外機では、防炎部材が送風機室内においてヒートシンクを覆うことにより、外部からの炎に対する電装品ユニットの防炎効果を高めることができる。また、防炎部材は、ヒートシンクを保護しながら、ヒートシンクに風がよく当たるようにして、ヒートシンクにおける放熱効果の低下を抑えることができる。
【００２０】
第２発明に係る空気調和機の室外機では、冷房運転時において比較的温度の低い空気が空気通路を通ることになるため、ヒートシンクにおける放熱効果を向上させることができる。
【００２１】
第３発明に係る空気調和機の室外機では、より多くの空気を空気通路に取り込み、空気通路を通る空気の風速を増大させることができるため、ヒートシンクにおける放熱効果をより向上させることができる。
【００２２】
第４発明に係る空気調和機の室外機では、仕切板に沿って流れる空気が空気通路に取り込まれ易くなるため、空気通路により多くの空気を取り込むことができ、ヒートシンクにおける放熱効果をより向上させることができる。
【００２３】
第５発明に係る空気調和機の室外機では、防炎部材がヒートシンクの下方を覆うため、下方から燃え上がる炎に対してより効果的にヒートシンクを保護することができる。また、樹脂製の電装品ユニットケーシングが熱で溶けたとしても、ヒートシンクが下方に脱落してしまうことを防止することができる。
【００２４】
第６発明に係る空気調和機の室外機では、板金製の防炎板によって、電装品ユニットの防炎効果を向上させることができる。また、防炎板がヒートシンクに接触しないように設けられるため、ヒートシンクを介して電気部品へ電気的な影響を与えることを防止することができる。また、防炎部材がヒートシンクと防炎板との境界を覆うため、防炎板とヒートシンクとの隙間から炎が侵入することを抑えることができる。
【００２５】
第７発明に係る空気調和機の室外機では、万一、樹脂製のファンが燃えたとしてもヒートシンクとファンとの間を仕切る防炎部材によってヒートシンクを保護することができる。これにより、電装品ユニットの防炎効果を高めることができる。
【発明を実施するための最良の形態】
【００２６】
＜構成＞
本発明の一実施形態に係る空気調和機の室外機１を図１および図２に示す。図１は、室外機１の内部の構成を示す前面図であり、図２は上面図である。この空気調和機の室外機１は、熱交換器２、圧縮機３、送風機４、電装品ユニット５、防炎部材６、及び、これらの構成部品を収納する室外機ケーシング７を備える。
【００２７】
熱交換器２は、積層された複数のフィンとフィンを貫通する伝熱管とを有しており、伝熱管を通過する冷媒と空気との間で熱交換を行う。熱交換器２は、上面視においてＬ字型に屈曲した形状を有しており、室外機ケーシング７の左側面７１および後面７２に沿って配置されている。熱交換器２の機械室ＳＰ１（後述）側すなわち右側部の下部および右側部の上部には、冷媒が出入りする出入口２１，２２が設けられている。冷房運転時には、右側下部の出入口２２から冷媒が熱交換器２に流入して、右側上部の出入口２１から冷媒が流出する。逆に、暖房運転時には、右側上部の出入口２１から冷媒が熱交換器２に流入して、右側下部の出入口２２から冷媒が流出する。
【００２８】
圧縮機３は、冷媒を圧縮して吐出する装置であり、後述する機械室ＳＰ１内に配置されている。
【００２９】
送風機４は、外部から送風機室ＳＰ２（後述）内に空気を取り込み熱交換器２に通して外部に排出する装置であり、樹脂製のプロペラファン４１と、プロペラファン４１を回転駆動するファンモーター４２とを有する。送風機４は、送風機室ＳＰ２内に配置されており、送風機室ＳＰ２内を後方すなわち熱交換器２側から前方すなわち送風機４側に向けて流れる空気の流れを生成する。
【００３０】
室外機ケーシング７は、送風機室ＳＰ２と機械室ＳＰ１とを内部に有する。送風機室ＳＰ２は、熱交換器２と送風機４とが配置される空間である。送風機室ＳＰ２は、前方及び後方から空気が容易に出入りできるように構成されており、送風機４によって外部から取り込まれた空気が通る。機械室ＳＰ１は、板金製の仕切板７６によって送風機室ＳＰ２から仕切られており、風雨が侵入し難いように構成されている。機械室ＳＰ１の内部には、圧縮機３、膨張弁（図示せず）、四路切換弁（図示せず）などの風雨から保護する必要の高い部品が配置されている。
【００３１】
仕切板７６は、屈曲した板状の部材であり、鉛直方向に延びている。なお、図１および図２において、仕切板７６の右側が機械室ＳＰ１であり、左側が送風機室ＳＰ２である。仕切板７６は、図２に示すように、前後方向に平行な第１面部７７と、第１面部７７の後端に繋がっており前後方向に対して傾斜した第２面部７８とを有している。第２面部７８は後方ほど送風機室ＳＰ２が広がるように傾斜しており、第２面部７８の後端は熱交換器２の右側端近傍に位置している。
【００３２】
電装品ユニット５は、電気部品５１（図３参照）と、ヒートシンク５２と、電装品ユニットケーシング５３と、防炎板５４（図３参照）とを有している。
【００３３】
図３に示す電気部品５１は、空気調和機の構成部品を制御するためのものであり、パワートランジスタ等の強発熱部品５５を含んでいる。
【００３４】
ヒートシンク５２は、電気部品５１のうち特に強発熱部品５５の熱を逃がすための部材であり、伝熱性の高い金属材料から形成されている。ヒートシンク５２は、電装品ユニットケーシング５３の下面から下方に突出するように設けられており、プロペラファン４１の右端部の上方に位置している。ヒートシンク５２の上部は電装品ユニットケーシング５３の内部において強発熱部品５５に接触しており、ヒートシンク５２の下部は、電装品ユニットケーシング５３の外部に突出して送風機室ＳＰ２内に露出している。また、ヒートシンク５２の下部には、放熱効果を高めるために複数のフィン５６が形成されている。なお、図３ではフィン５６の１つにのみ符号を付して他は省略している。これらのフィン５６は空気の流れの方向すなわち前後方向に平行に配置されており、左右方向に微少な距離を隔てて配置されている。
【００３５】
電装品ユニットケーシング５３は、電気部品５１を収納する樹脂製の部材である。電装品ユニットケーシング５３は、図１に示すように、室外機１内部の上部に配置されており、且つ、図２に示すように、機械室ＳＰ１と送風機室ＳＰ２とに亘って配置されている。また、図３に示すように、電装品ユニットケーシング５３の下面のうち送風機室ＳＰ２側に位置する部分には、ヒートシンク５２が突出する孔５７が設けられている。
【００３６】
防炎板５４は、電装品ユニットケーシング５３の外表面に取り付けられる板金製の部材である。防炎板５４は、電装品ユニットケーシング５３の下面や側面に設けられているが、ヒートシンク５２を介して電気部品５１に電気的に影響を与えないように、ヒートシンク５２が突出する孔５７を避けて、ヒートシンク５２に接触しないように設けられている。
【００３７】
防炎部材６は、送風機室ＳＰ２内においてヒートシンク５２を覆い、火災時の炎からヒートシンク５２を保護する板金製の部材である。防炎部材６は、屈曲した板状の部材であり、ヒートシンク５２の下方および両側方を覆う。より具体的には、防炎部材６は、ヒートシンク５２と防炎板５４との境界およびヒートシンク５２を下方から覆っており、ヒートシンク５２とプロペラファン４１との間を仕切っている。防炎部材６は、図３および図４に示すように、第１側面部６１、第２側面部６２、第１下面部６３、第２下面部６４を有する。なお、図４（ａ）は防炎部材６の上面図であり、図４（ｂ）は防炎部材６の前面図であり、図４（ｃ）は防炎部材６の左側面図である。
【００３８】
第１側面部６１は、前後方向に平行に配置されており、電装品ユニットケーシング５３の下面から垂直に下方に延びている。第２側面部６２は、電装品ユニットケーシング５３の下面から垂直に下方に延びており、第１側面部６１との間の空間（後述する「空気通路Ｐａ」）が後方ほど広がるように前後方向に対して傾斜して配置されている。第１側面部６１が防炎部材６の左側面を構成し、第２側面部６２が防炎部材６の右側面部を構成している。第２側面部６２は、仕切板７６の第２面部７８（図２参照）に沿って配置されており、防炎部材６は、仕切板７６に沿った形状となっている。なお、第１側面部６１の上端と第２側面部６２の上端とには、外側に突出するフランジ部６５，６６がそれぞれ設けられており、フランジ部６５，６６が上述した防炎板５４に固定されることにより、防炎部材６が電装品ユニット５に取り付けられている。
【００３９】
第１下面部６３は、第１側面部６１の下端に繋がっており、プロペラファン４１の可動域を避けるように上下方向に対して傾斜している。第２下面部６４は、第２側面部６２の下端および第１下面部６３の側端に繋がっており、電装品ユニットケーシング５３の下面との間の空間（後述する「空気通路Ｐａ」）が後方ほど広がるように前後方向に対して傾斜して配置されている。
【００４０】
防炎部材６は、上記のように、第１側面部６１、第２側面部６２、第１下面部６３、第２下面部６４によって下方に凹んだ凹状の形状を有しており、上面、前面、後面が開放されている。このため、防炎部材６は、電装品ユニットケーシング５３の下面に取り付けられることにより、電装品ユニットケーシング５３の下面との間に空気通路Ｐａを構成している。送風機室ＳＰ２を通る空気の一部は、この空気通路Ｐａの後面の入口Ｐｉｎから空気通路Ｐａ内に入り、空気通路Ｐａの内部に配置されたヒートシンク５２を通り、空気通路Ｐａの前面の出口Ｐｏｕｔから排出される。この空気通路Ｐａの入口Ｐｉｎは、熱交換器２の右側上部近傍に対向するように配置されており、冷房運転時における熱交換器２の冷媒の入口側（出入口２２）よりも冷媒の出口側（出入口２１）に近い位置に配置されている。また、空気通路Ｐａの入口Ｐｉｎは、空気通路Ｐａの出口Ｐｏｕｔよりも大きく、空気が取り込み易くなっている。
【００４１】
＜特徴＞
（１）
この空気調和機の室外機１では、防炎部材６が送風機室ＳＰ２内においてヒートシンク５２を覆うため、外部の炎からヒートシンク５２を保護することができる。このため、電装品ユニット５の防炎性を向上させることができる。特に、防炎部材６は、ヒートシンク５２と防炎板５４との境界も覆っているため、ヒートシンク５２と防炎板５４との隙間から炎が侵入して樹脂製の電装品ユニットケーシング５３がダメージを受けることを抑えることができる。
また、防炎部材６により電装品ユニット５の防炎性が向上するため、送風機室ＳＰ２内の防炎性を過度に向上させる必要が少なくなる。このため、送風機室ＳＰ２に配置されるプロペラファン４１を比較的安価な材料で形成することができ、製造コストを低減させることができる。
さらに、この防炎部材６はヒートシンク５２の下方を覆っているため、万一、電装品ユニットケーシング５３が熱で溶けたとしても、ヒートシンク５２が下方に脱落してしまうことを防止することができる。
（２）
この空気調和機の室外機１では、防炎部材６が空気通路Ｐａを構成し、ヒートシンク５２がこの空気通路Ｐａ中に配置されている。このため、防炎部材６によってヒートシンク５２を保護しながら、防炎部材６がヒートシンク５２を通る空気を阻害することがなく、寧ろ、通風性を向上させている。これにより、ヒートシンク５２における放熱効果を向上させることができる。
また、防炎部材６は、空気通路Ｐａの入口Ｐｉｎが大きく出口Ｐｏｕｔが小さい形状となっているため、空気を取り込みやすく且つ空気の流速を増大させることができる。これによって、ヒートシンク５２における放熱効果を向上させることができる。
さらに、空気通路Ｐａの入口Ｐｉｎは、熱交換器２における冷房運転時の冷媒の出口となる出入口２１に近接して設けられている。このため、比較的温度の低い空気が空気通路Ｐａに取り込まれやすくなり、ヒートシンク５２における放熱効果をより向上させることができる。
【００４２】
＜他の実施形態＞
（Ａ）
上記の実施形態では、防炎部材６を構成する第１側面部６１、第２側面部６２、第１下面部６３および第２下面部６４が、孔やスリットの無い板状の形状となっているが、図５に示すように、防炎部材６の一部に開口６８が設けられてもよい。ただし、開口６８が比較的大きなものである場合には、炎の影響が少ない第１側面部６１に設けられることが望ましい。これにより、空気通路Ｐａに空気がより通り易くなり、ヒートシンク５２の放熱効果をより向上させることができる。
また、図６に示すように、防炎部材６の一部または全体に複数のスリット６９や孔が設けられてもよい。なお、図６ではスリット６９の１つのみに符号を付して他は省略している。この場合、スリット６９や孔が小さなものであれば、第１側面部６１、第２側面部６２に限らず第１下面部６３や第２下面部６４に設けられても、十分に炎の侵入を防止することができる。また、同様の理由で防炎部材６が金網で形成されてもよい。
（Ｂ）
上記の実施形態では、防炎部材６は直線的に屈曲した形状を有しているが、曲面状に湾曲した形状であってもよい。
（Ｃ）
上記の実施形態では、プロペラファン４１が樹脂材料から形成されているが、送風機室ＳＰ２に面する室外機ケーシング７の前面部や他の部材が樹脂材料から形成されてもよい。この場合も、電装品ユニット５の防炎性を確保しながら製造コストを低減させることができる。
（Ｄ）
上記の実施形態では、ヒートシンク５２は電装品ユニットケーシング５３の下面から下方に向けて突出しているが、電装品ユニットケーシング５３の側面や仕切板７６から側方に向けて突出していてもよい。このように突出したヒートシンクを送風機室ＳＰ２において覆う防炎部材が設けられることによっても、電装品ユニットの防炎性を向上させることができる。
（Ｅ）
上記の実施形態では、防炎部材６は、ヒートシンク５２の両側方および下方を覆っているが、燃焼の恐れのある部材（例えば、プロペラファン４１）との位置関係によっては、これらのうちの一部の方向のみを覆うものであってもよい。例えば、ヒートシンク５２の一側方と下方のみを覆う防炎部材が設けられてもよい。
（Ｆ）
上記の実施形態では、第１側面部６１の上端と第２側面部６２の上端とが共に防炎板５４に固定されており、防炎部材６は防炎板５４のみに固定されている。しかし、防炎部材の固定位置はこれに限られるものではなく、例えば、防炎部材の一端が防炎板５４に固定され、他端が仕切板７６に固定されてもよい。また、仕切板７６から送風機室ＳＰ２に突出するヒートシンクが設けられる場合のようにヒートシンクの配置によっては、防炎部材が仕切板７６のみに固定されてもよい。
（Ｇ）
上記の実施形態では、防炎部材６は金属材料で構成されているが、金属材料に限られるものではなく難燃性の材料から構成されるものであればよい。
【産業上の利用可能性】
【００４３】
本発明は、外部からの炎に対する電装品ユニットの防炎効果を高めることができる効果を有し、空気調和機の室外機として有用である。
【図面の簡単な説明】
【００４４】
【図１】空気調和機の室外機の内部の構成を示す前面図。
【図２】空気調和機の室外機の内部の構成を示す上面図。
【図３】電装品ユニットの一部および防炎部材の断面図。
【図４】防炎部材の形状を示す図。
【図５】他の実施形態に係る防炎部材の側面図。
【図６】他の実施形態に係る防炎部材の上面図。
【符号の説明】
【００４５】
１      空気調和機の室外機
２      熱交換器
４      送風機
５      電装品ユニット
６      防炎部材
７      室外機ケーシング
４１    プロペラファン（ファン）
５１    電気部品
５２    ヒートシンク
５３    電装品ユニットケーシング
５４    防炎板
７６    仕切板
Ｐａ    空気通路
ＳＰ１  機械室
ＳＰ２  送風機室
【図１】
2008101824.tif 000003
【図２】
2008101824.tif 000004
【図３】
2008101824.tif 000005
【図４】
2008101824.tif 000006
【図５】
2008101824.tif 000007
【図６】
2008101824.tif 000008